(57)【特許請求の範囲】
【請求項１】
第１の表面パネルと、第２の表面パネルと、
前記第１の表面パネルと前記第２の表面パネルとを折り畳み開閉可能に連結する連結部と、
前記第１の表面パネル及び前記第２の表面パネルに亘って連続して設けられたフィルムセンサとを有し、
前記フィルムセンサは、第１の検出領域、第２の検出領域、及び第３の検出領域を有し、前記第１の検出領域は前記第１の表面パネルに対向する位置に、前記第２の検出領域は前記第２の表面パネルに対向する位置に設けられ、前記第３の検出領域は前記第１の検出領域と前記第２の検出領域との間に位置することを特徴とする入力装置。
【請求項２】
前記フィルムセンサにおいて、前記第１の検出領域には複数の第１の電極が、前記第２の検出領域には複数の第２の電極が、前記第３の検出領域には複数の第３の電極が配置されており、
前記第３の電極の面積が、前記第１の電極または前記第２の電極の面積に対して異なることを特徴とする請求項１に記載の入力装置。
【請求項３】
前記第３の電極の面積が、前記第１の電極または前記第２の電極の面積よりも大きいことを特徴とする請求項２に記載の入力装置。
【請求項４】
前記フィルムセンサを開いた状態の平面視において、前記連結部の折り畳み開閉軸に平行な方向を第１の方向として、前記第１の方向に交差する方向を第２の方向としたときに、前記第３の検出領域には複数の前記第３の電極が前記第２の方向に配列されており、前記第３の検出領域の前記第２の方向の中央部に配置された前記第３の電極の面積が、前記第３の検出領域の縁部に配置された前記第３の電極の面積よりも大きいことを特徴とする請求項２または請求項３に記載の入力装置。
【請求項５】
前記第３の電極は、前記第１の電極または前記第２の電極に電気的に接続され、または、前記第１の電極または前記第２の電極に静電容量結合されていることを特徴とする請求項２から請求項４のいずれか１項に記載の入力装置。
【請求項６】
前記第１の電極、前記第２の電極及び前記第３の電極は、それぞれ個別に引出配線に接続されていることを特徴とする請求項２から請求項５のいずれか１項に記載の入力装置。
【請求項７】
前記第３の電極は、Ａｇナノワイヤ、Ａｇナノチューブ、カーボンナノチューブ、ＰＥＤＯＴのいずれかを有していることを特徴とする請求項２から請求項６のいずれか１項に記載の入力装置。
【請求項８】
前記フィルムセンサの表裏面の一方の面に前記第１の表面パネル及び前記第２の表面パネルが貼り合わされており、前記フィルムセンサの表裏面の他方の面に表示素子が貼り合わされており、
前記表示素子は、前記第１の検出領域、前記第２の検出領域及び前記第３の検出領域に亘って連続して設けられていることを特徴とする請求項１から請求項７のいずれか１項に記載の入力装置。
【発明の詳細な説明】
【技術分野】
【０００１】
本発明は、入力装置に関し、特に、折り畳み開閉可能に連結された２枚の表示画面を有する入力装置に関する。
【背景技術】
【０００２】
近年、携帯電話機、スマートフォン、タブレット型端末などの情報処理端末には、表示画面に指などを直接接触させて、若しくは接触させずに近づけた状態で入力操作が可能な入力装置が備えられている。このような、情報処理端末について下記特許文献１に開示されている。【０００３】
図１１は、特許文献１に開示される従来例の情報処理端末の正面図を示す。図１１に示すように、従来例の情報処理端末１１７において、２つの筐体１１４、１１５がヒンジ機構などの連結部１１６により開閉可能に連結されている。２つの筐体１１４、１１５にはそれぞれ表示画面が設けられており、表示画面に表示される画像や入力キーを直接操作できるように、筐体１１４には入力装置１１１（特許文献１では、「表示兼検知部」または「タッチパネル」と記載されている）が備えられており、筐体１１５には入力装置１１２が備えられている。すなわち、従来例の情報処理端末１１７は、入力装置１１１に対応する第１の検出領域１１１ａと、入力装置１１２に対応する第２の検出領域１１２ａとを有する。【０００４】
情報処理端末１１７の使用時には、筐体１１４、１１５を開いた状態で実質的に大画面化されて、第１の検出領域１１１ａと第２の検出領域１１２ａの両方で入力操作可能であり、持ち運びの時には筐体１１４、１１５を折り畳んで小型化が可能となる。【０００５】
また、図１１に示すように、従来例の情報処理端末１１７には、入力装置１１１と入力装置１１２との間に、接触センサ１１３が備えられている。これにより、第１の検出領域１１１ａと第２の検出領域１１２ａとの間に第３の検出領域１１３ａを設けて、入力装置１１１と入力装置１１２との間の領域での入力操作が検出可能となる。したがって、入力装置１１１と入力装置１１２との間隙付近において、２つの領域に跨がって連続した入力操作であるのか、あるいは、それぞれ別個の入力操作であるか等を判別することが可能となり、入力装置１１１と入力装置１１２との間隙付近の操作性を向上させることができる。
【先行技術文献】
【特許文献】
【０００６】
【特許文献１】国際公開ＷＯ２０１２／１１１２３０号
【発明の概要】
【発明が解決しようとする課題】
【０００７】
図１１に示すように従来例の情報処理端末１１７には、入力装置１１１と入力装置１１２との間に接触センサ１１３が別体で備えられている。そのため、入力装置１１１、入力装置１１２及び接触センサ１１３をそれぞれ制御し、またそれぞれの検出信号を出力するために、３つの制御部を設けて異なる信号処理を行う必要がある。更に、それぞれの制御部からの出力信号に基づいて全体としての入力操作を処理する必要があり、煩雑な信号処理工程を要する。また、接触センサ１１３は連結部１１６に重なる位置に配置されているため、接触センサ１１３からの検出信号を引き出すための引出構造や、外部の制御部等との接続構造が複雑であるという課題も生じる。  【０００８】
図１１に示すように接触センサ１１３は、入力装置１１１及び入力装置１１２とは別個に設けられているため、接触センサ１１３の検出感度と、入力装置１１１及び入力装置１１２の検出感度のばらつきが生じやすい。また、接触センサ１１３は、連結部１１６に重なる位置に配置されているため、筐体１１４、１１５、連結部１１６等の各部材の構造、材料の違いにより、入力装置１１１及び入力装置１１２の検出感度に対して、接触センサ１１３の検出感度のばらつきが発生する。又、入力装置１１１、１１２、１１３の間で縦位置を合わせなければならず、組み立て時の位置合わせの工程が繁雑である。【０００９】
本発明は、上記課題を解決して、簡便な構成及び処理方法により、折り畳み開閉可能な複数の検出領域の間における入力操作を検出するとともに、検出感度のばらつきを抑制することが可能な入力装置を提供することを目的とする。
【課題を解決するための手段】
【００１０】
本発明の入力装置は、第１の表面パネルと、第２の表面パネルと、前記第１の表面パネルと前記第２の表面パネルとを折り畳み開閉可能に連結する連結部と、前記第１の表面パネル及び前記第２の表面パネルに亘って連続して設けられたフィルムセンサとを有し、前記フィルムセンサは、第１の検出領域、第２の検出領域、及び第３の検出領域を有し、前記第１の検出領域は前記第１の表面パネルに対向する位置に、前記第２の検出領域は前記第２の表面パネルに対向する位置に設けられ、前記第３の検出領域は前記第１の検出領域と前記第２の検出領域との間に位置することを特徴とする。【００１１】
これによれば、第１の検出領域と第２の検出領域とが折り畳み開閉可能に設けられるとともに、第１の検出領域、第２の検出領域及び第３の検出領域が１枚の連続したフィルムセンサに設けられている。よって、各領域に対応して個別に入力装置を設ける場合に比べて、簡単な構成で第１の検出領域と第２の検出領域との間の第３の検出領域における入力操作を検出可能となる。また、共通のフィルムセンサにより検出可能であるため、個別に入力装置を設ける場合と比較して、各検出領域の間の検出感度ばらつきを抑制することが容易である。さらに、１枚の連続したフィルムセンサに各検出領域が設けられているため、各検出領域からの検出信号を共通の制御部で制御することが可能であり、用意する制御部の個数や信号処理の工程を減少させて、信号処理を簡便に行うことができる。【００１２】
したがって、本発明の入力装置によれば、簡便な構成及び処理方法により、折り畳み開閉可能な複数の検出領域の間における入力操作を検出するとともに、検出感度のばらつきを抑制することができる。【００１３】
本発明の入力装置は、前記フィルムセンサにおいて、前記第１の検出領域には複数の第１の電極が、前記第２の検出領域には複数の第２の電極が、前記第３の検出領域には複数の第３の電極が配置されており、前記第３の電極の面積が、前記第１の電極または前記第２の電極の面積に対して異なることが好適である。これによれば、入力操作時に入力装置が開いた状態でフィルムセンサの撓みや膨らみが生じた場合において、第３の検出領域の第３の電極の面積を異ならせることで、被検出体と第３の電極との間に形成される静電容量が変化する。つまり、被検出体と第１の電極または第２の電極との間に形成される静電容量と被検出体と第３の電極との間に形成される静電容量との差を小さくすることができる。したがって、第３の検出領域と、第１の検出領域または第２の検出領域との検出感度のばらつきを抑制することができる。【００１４】
本発明の入力装置において、前記第３の電極の面積が、前記第１の電極または前記第２の電極の面積よりも大きいことが好適である。これによれば、第３の電極と入力操作を行う被検出体との間の静電容量を大きくすることができる。したがって、フィルムセンサの撓みが生じて第３の検出領域と被検出体との距離が大きくなり検出感度が見かけ上低下する場合であっても、第３の電極の面積を大きくして検出感度の低下を抑制できる。よって、各検出領域間の検出感度のばらつきを抑制することができる。【００１５】
本発明の入力装置は、前記フィルムセンサを開いた状態の平面視において、前記連結部の折り畳み開閉軸に平行な方向を第１の方向として、前記第１の方向に交差する方向を第２の方向としたときに、前記第３の検出領域には複数の前記第３の電極が前記第２の方向に配列されており、前記第３の検出領域の前記第２の方向の中央部に配置された前記第３の電極の面積が、前記第３の検出領域の縁部に配置された前記第３の電極の面積よりも大きいことが好適である。これによれば、フィルムセンサが撓んだ場合に、第３の検出領域の撓み量に応じて第３の電極面積を変化させることで、第３の検出領域内の検出感度のばらつきを抑制することができる。【００１６】
本発明の入力装置において、前記第３の電極は前記第１の電極または前記第２の電極に電気的に接続され、または、前記第３の電極は前記第１の電極または前記第２の電極に静電容量結合されていることが好ましい。これによれば、第３の電極は、第１の電極及び第２の電極と共に共通の電極パターンを形成して、第１の検出領域、第２の検出領域、及び第３の検出領域の全体を１つの電極パターンとして検出することができるため、制御及び信号処理を容易に行うことができる。【００１７】
本発明の入力装置において、前記第１の電極、前記第２の電極及び前記第３の電極は、それぞれ個別に引出配線に接続されている。これによれば、各電極が互いに独立して、すなわち互いに干渉が抑制されて入力操作の判定がなされるので、精度良く検出可能である。【００１８】
本発明の入力装置において、前記第３の電極は、Ａｇナノワイヤ、Ａｇナノチューブ、カーボンナノチューブ、ＰＥＤＯＴのいずれかを有していることが好適である。これによれば、第３の電極は柔軟性を有するため、折り畳み開閉の動作が繰り返された場合であっても第３の電極のクラック等の発生を防止して、検出感度の低下を抑制することができる。【００１９】
本発明の入力装置において、前記フィルムセンサの表裏面の一方の面に前記第１の表面パネル及び前記第２の表面パネルが貼り合わされており、前記フィルムセンサの表裏面の他方の面に表示素子が貼り合わされており、前記表示素子は、前記第１の検出領域、前記第２の検出領域及び前記第３の検出領域に亘って連続して設けられていることが好適である。これによれば、第１の検出領域、第２の検出領域及び第３の検出領域の検出信号の処理と、表示素子の画像処理とを一致させて行うことができ、簡便に入力信号の処理を行うことができる。
【発明の効果】
【００２０】
本発明の入力装置によれば、簡便な構成及び処理方法により、折り畳み開閉可能な複数の検出領域の間における入力操作を検出するとともに、検出感度のばらつきを抑制することが可能である。
【図面の簡単な説明】
【００２１】
【図１】本発明の実施形態の入力装置が搭載される情報処理端末について、折り畳み時の斜視図を示す。
【図２】本発明の実施形態の入力装置が搭載される情報処理端末について、開いた状態の斜視図を示す。
【図３】（ａ）図１のＩＩＩ（ａ）−ＩＩＩ（ａ）線で切断して矢印方向から見たときの入力装置の断面図である。（ｂ）図２のＩＩＩ（ｂ）−ＩＩＩ（ｂ）線で切断して矢印方向から見たときの入力装置の部分拡大断面図である。
【図４】本実施形態の入力装置を構成するフィルムセンサの部分拡大平面図である。
【図５】図４のＶ−Ｖ線で切断して矢印方向から見たときの入力装置の部分拡大断面図である。
【図６】本実施形態の第１の変形例の入力装置を示し、フィルムセンサの部分拡大平面図を示す。
【図７】第２の変形例の入力装置を示し、フィルムセンサの部分拡大平面図を示す。
【図８】第３の変形例の入力装置を示し、フィルムセンサの部分拡大平面図を示す。
【図９】（ａ）第４の変形例の入力装置を示し、折り畳み時の断面図を示す。（ｂ）第４の変形例の入力装置について、開いた状態の部分拡大断面図を示す。
【図１０】第５の変形例の入力装置を示し、折り畳み時の断面図を示す。
【図１１】従来例の情報処理端末の平面図である。
【発明を実施するための形態】
【００２２】
以下、図面を参照して、本発明の入力装置の具体的な実施形態について説明をする。なお、各図面の寸法は適宜変更して示している。
【００２３】
図１は、本実施形態の入力装置が搭載される情報処理端末について、折り畳み時の斜視図を示す。図２は同様に、情報処理端末の開いた状態の斜視図を示す。
【００２４】
図１及び図２に示すように、情報処理端末１６は、２つの筐体２４、２５と連結部２６とを有して構成されている。２つの筐体２４、２５は、ヒンジ機構などの連結部２６によって折り畳み開閉可能に連結されている。
【００２５】
図２に示すように、筐体２４、２５には、表示画像を表示するとともに、表示画像を視認しながら入力操作が可能な入力装置１０が組み込まれている。入力装置１０は、２枚の表面パネル２１、２２を有しており、第１の表面パネル２１は筐体２４に組み込まれ、第２の表面パネル２２は筐体２５に組み込まれている。
【００２６】
図１に示すように、筐体２４、２５を折り畳んで閉じたときにには、第１の表面パネル２１及び第２の表面パネル２２も折り畳まれて筐体２４、２５の内部に収納される。図２に示すように、筐体２４、２５を開いたときには、第１の表面パネル２１及び第２の表面パネル２２が露出して、２画面の画像表示及び入力操作が可能である。よって、情報処理端末１６を持ち運ぶ際には筐体２４、２５を折り畳み小型化を図ることができ、使用時には筐体２４、２５を開くことによって、検出領域及び表示画面の大面積が可能となる。
【００２７】
図３（ａ）は、図１のＩＩＩ（ａ）−ＩＩＩ（ａ）線で切断して矢印方法から見たときの入力装置１０の断面図を示す。図３（ｂ）は、図２のＩＩＩ（ｂ）−ＩＩＩ（ｂ）線で切断して矢印方法から見たときの入力装置１０の部分拡大断面図を示す。図３（ａ）は、入力装置１０を閉じた状態の断面図であり、図３（ｂ）は開いた状態の連結部２６近傍の部分拡大断面図である。なお、図３（ａ）及び図３（ｂ）には本実施形態の入力装置１０のみを示し、筐体２４、２５等は省略して示す。
【００２８】
図３（ａ）及び図３（ｂ）に示すように、本実施形態の入力装置１０は、第１の表面パネル２１と、第２の表面パネル２２と、連結部２６と、フィルムセンサ３０とを有して構成される。第１の表面パネル２１と第２の表面パネル２２とは、連結部２６を介して折り畳み可能に連結されている。そして、フィルムセンサ３０は、第１の表面パネル２１及び第２の表面パネル２２に亘って連続して設けられている。図３（ａ）及び図３（ｂ）に示すように、フィルムセンサ３０は、粘着層４５を介して第１の表面パネル２１に貼り合わされるとともに、粘着層４６を介して第２の表面パネル２２に貼り合わされている。これにより、第１の表面パネル２１と第２の表面パネル２２との折り畳み開閉動作に伴って、フィルムセンサ３０についても折り畳み開閉可能となっている。
【００２９】
図３（ｂ）に示すように、フィルムセンサ３０は、第１の検出領域３１ａ、第２の検出領域３１ｂ、及び第３の検出領域３１ｃを有している。第１の検出領域３１ａは第１の表面パネル２１に対向する位置に設けられており、操作者が指などの被検出物を第１の表面パネル２１に接触させて、または接触させずに近づけたときの入力位置を検出する。同様に、第２の検出領域３１ｂは第２の表面パネル２２に対向する位置に設けられて、第２の表面パネル２２への入力操作を検出する。図３（ｂ）に示すように、第３の検出領域３１ｃは、第１の検出領域３１ａと前記第２の検出領域３１ｂとの間で連結部２６と重なるところに位置して設けられている。第３の検出領域３１ｃは、第１の検出領域３１ａから前記第２の検出領域３１ｂまでの間に連続して設けられており、第１の表面パネル２１と第２の表面パネル２２との間における入力操作を検出することができる。
【００３０】
本実施形態の入力装置１０において、第１の検出領域３１ａと第２の検出領域３１ｂとが折り畳み開閉可能に設けられるとともに、第１の検出領域３１ａ、第２の検出領域３１ｂ及び第３の検出領域３１ｃが１枚の連続したフィルムセンサ３０に設けられている。よって、各領域に対応して個別に入力装置を設ける場合に比べて、簡単な構成で第１の検出領域３１ａと第２の検出領域３１ｂとの間の第３の検出領域３１ｃおける入力操作を検出可能となっている。また、共通のフィルムセンサ３０により検出可能であるため、各検出領域に個別に入力装置を設ける場合と比較して、各検出領域３１ａ、３１ｂ、３１ｃの間の検出感度ばらつきを抑制することが容易である。さらに、１枚の連続したフィルムセンサ３０に各検出領域３１ａ、３１ｂ、３１ｃが設けられているため、各検出領域３１ａ、３１ｂ、３１ｃからの検出信号を共通の制御部（図示しない）で制御することが可能であるため、用意する制御部の個数や信号処理の工程を減少させて、信号処理を簡便に行うことができる。
【００３１】
したがって、本発明の入力装置１０によれば、簡便な構成及び処理方法により、折り畳み開閉可能な第１の検出領域３１ａと第２の検出領域３１ｂとの間における入力操作を検出するとともに、検出感度のばらつきを抑制することができる。
【００３２】
図４は、本実施形態の入力装置１０を構成するフィルムセンサ３０の部分拡大平面図を示す。図４に示すように、フィルムセンサ３０は基材４０と、基材４０に設けられた複数の電極とを有して構成される。また、図４にしめすように、フィルムセンサ３０を開いた状態で、第３の検出領域３１ｃは、第１の検出領域３１ａと第２の検出領域３１ｂとでＸ１−Ｘ２方向に挟まれて配置される。第１の検出領域３１ａには複数の第１の電極３４が配置されており、第２の検出領域３１ｂには複数の第２の電極３５が配置されており、第３の検出領域３１ｃには複数の第３の電極３６が配置されている。
【００３３】
図４に示すように、Ｙ１−Ｙ２方向に配列された第１の電極３４は接続部３７によって連結されている。同様に、Ｙ１−Ｙ２方向に配列された第２の電極３５及び第３の電極３６が、接続部３７によって連結されている。また、Ｘ１−Ｘ２方向に配列された第１の電極３４、第２の電極３５、及び第３の電極３６は、ブリッジ部３８により連結されている。図４に示すように、接続部３７とブリッジ部３８とが平面視で交差して形成されており、Ｘ１−Ｘ２方向に連結された各電極３４、３５、３６と、Ｙ１−Ｙ２方向に連結された各電極３４、３５、３６とが、互いに平面視で交差している。
【００３４】
図５は、図４のＶ−Ｖ線で切断して矢印方向から見たときの入力装置の部分拡大断面図を示し、第１の検出領域３１ａにおける接続部３７とブリッジ部３８との交差部について拡大して示す。図５に示すように、接続部３７を覆うように絶縁層３９が設けられており、ブリッジ部３８は、接続部３７及び絶縁層３９に跨がって、第１の電極３４同士をＸ１−Ｘ２方向に接続する。
【００３５】
図４及び図５に示すフィルムセンサ３０において、Ｘ１−Ｘ２方向に連結された各電極３４、３５、３６と、Ｙ１−Ｙ２方向に連結された各電極３４、３５、３６との間で静電容量が形成される。入力操作時に指などの被検出体を第１の表面パネル２１、第２の表面パネル２２、または第１の表面パネル２１と第２の表面パネル２２の間に接触、または近づけると、各電極３４、３５、３６間の静電容量が変化して、これにより入力位置が検出される。本実施形態のフィルムセンサ３０は、静電容量式のフィルムセンサ３０である。Ｘ１−Ｘ２方向、またはＹ１−Ｙ２方向に連結された各電極３４、３５、３６には引出配線４１が接続される。引出配線４１は、非検出領域３２に形成されて、外部の制御部（図示しない）に接続される。
【００３６】
図３（ｂ）に示すように、入力装置１０を開いた状態において、フィルムセンサ３０の第３の検出領域３１ｃは、入力面１０ｃに対して反対方向である下方（Ｚ２方向）に凸になるように撓んで形成される。これは、折り畳み開閉可能にするために、図３（ａ）に示すように、第１の表面パネル２１及び第２の表面パネル２２と、フィルムセンサ３０との間にクリアランスを設けて配置する必要があり、また、連結部２６の機構上、フィルムセンサ３０の第３の検出領域３１ｃを長く設ける必要があるためである。すなわち、第１の表面パネル２１、第２の表面パネル２２及び連結部２６の合計長さよりも、フィルムセンサ３０を長く形成する必要がある。よって、フィルムセンサ３０を長く形成したことにより、入力装置１０を開いた状態において撓みが生じる。
【００３７】
本実施形態の入力装置１０において、図４に示すように第３の電極３６の面積が、第１の電極３４または第２の電極３５の面積に対して異なって形成され、第１の電極３４または第２の電極３５の面積よりも大きく形成されている。
【００３８】
このように第３の検出領域３１ｃの第３の電極３６の面積を、第１の電極３４及び第２の電極３５の面積に対し異ならせることにより、入力操作時においてフィルムセンサ３０の撓みや膨らみが生じた場合において、被検出体と第３の電極３６との間に形成される静電容量の大きさを変えることができる。すなわち、図４に示すように第３の電極３６の面積を大きくした場合には、入力操作を行う被検出体と第３の電極３６との間の静電容量を大きくすることができる。よって、被検出体と第１の電極３４または第２の電極３５との間に形成される静電容量と、被検出体と第３の電極３６との間に形成される静電容量との差を小さくすることができる。
【００３９】
したがって、フィルムセンサ３０の撓みが生じ第３の検出領域３１ｃの検出感度が見かけ上低下した場合であっても、第３の電極３６の面積を大きくして検出感度を向上させることにより、第３の検出領域３１ｃと、第１の検出領域３１ａまたは第２の検出領域３１ｂとの検出感度のばらつきを抑制することができる。
【００４０】
本実施形態において、基材４０は、折り畳み開閉可能とするため、柔軟なフィルム状の樹脂材料が用いられる。例えば、ポリカーボネート樹脂（ＰＣ）、ポリエチレンテレフタレート樹脂（ＰＥＴ）、ポリエチレンナフタレート樹脂（ＰＥＮ）、環状ポリオレフィン（ＣＯＰ）、ポリメタクリル酸メチル樹脂（ＰＭＭＡ）等の透光性樹脂材料が用いられる。
【００４１】
また、各電極３４、３５、３６には、ＩＴＯ（Ｉｎｄｉｕｍ  Ｔｉｎ  Ｏｘｉｄｅ）等の透明導電材料が用いられる。特に、第３の検出領域３１ｃに形成される第３の電極３６には、Ａｇナノワイヤ、Ａｇナノチューブ、カーボンナノチューブ、ＰＥＤＯＴのいずれかを用いて形成することが好ましい。これらを用いることにより、第３の電極３６は柔軟性を有するため、折り畳み開閉の動作が繰り返された場合であっても、クラック、断線等を防止して、検出感度の低下を抑制することができる。なお、第３の電極３６に限らず、第１の電極３４、第２の電極３５についても第３の電極３６と同じＡｇナノワイヤ等の材料を用いて形成することが実際的である。
【００４２】
図４及び図５に示すように、第３の電極３６は、第１の電極３４または第２の電極３５に電気的に接続されている。または、第３の電極３６は、第１の電極３４または第２の電極３５に静電容量結合されている。すなわち、第３の電極３６は、接続部３７、ブリッジ部３８を介して第１の電極３４及び第２の電極３５に接続され、フィルムセンサ３０全体で、共通の電極パターンを形成している。よって、１つの電極パターンにより第１の検出領域３１ａ、第２の検出領域３１ｂ、及び第３の検出領域３１ｃの全体を検出することができるため、制御及び信号処理を容易に行うことができる。なお、本実施形態の入力装置１０において、図４に示すように各電極３４、３５、３６はそれぞれ菱形形状に形成されているが、限定されない。例えば、長方形、多角形、円形などの電極形状であっても同様の効果を有する。
【００４３】
また、図３に示すように、本実施形態の入力装置１０は、フィルムセンサ３０の表裏面の一方の面に第１の表面パネル２１及び第２の表面パネル２２が貼り合わされており、フィルムセンサ３０の表裏面の他方の面に表示素子５１が貼り合わされている。表示素子５１は、第１の検出領域３１ａ、第２の検出領域３１ｂ及び第３の検出領域３１ｃに亘って連続して設けられている。
【００４４】
表示素子５１として、ＯＬＥＤ（Ｏｒｇａｎｉｃ  Ｌｉｇｈｔ  Ｅｍｉｔｔｉｎｇ  Ｄｉｏｄｅ）ディスプレイ等を用いることができる。これにより、第１の表面パネル２１、第２の表面パネル２２及びフィルムセンサ３０とともに表示素子５１も折り畳み開閉可能となる。また、第１の検出領域３１ａ、第２の検出領域３１ｂ及び第３の検出領域３１ｃの検出信号の処理と、表示素子５１の画像処理とを一致させて行うことが容易であり、フィルムセンサ３０及び表示素子５１の制御を簡便に行うことができる。
【００４５】
（第１の変形例）
図６は、本実施形態の第１の変形例の入力装置１０を示し、フィルムセンサ３０の部分拡大平面図を示す。図１〜図３に示すように、連結部２６の折り畳み開閉軸に平行な方向を第１の方向（Ｙ１−Ｙ２方向）として、第１の方向に交差する方向を第２の方向（Ｘ１−Ｘ２方向）とする。図６に示すように、フィルムセンサ３０を開いた状態の平面視において、第３の検出領域３１ｃには、第２の方向（Ｘ１−Ｘ２方向）において複数の第３の電極３６が配列されており、第２の方向（Ｘ１−Ｘ２方向）における第３の検出領域３１ｃの中央部に配置された第３の電極３６ｂの面積が、第２の方向における第３の検出領域３１ｃの縁部に配置された第３の電極３６ａ、３６ｃの面積よりも大きい。
【００４６】
本変形例の第３の電極３６は、フィルムセンサ３０の撓み量に応じて第３の電極の面積３６を異ならせて形成されており、これにより、第３の電極３６同士の検出感度のばらつきを抑制することができる。図３（ｂ）に示すように、入力装置１０を開いた状態で、第３の検出領域３１ｃのフィルムセンサ３０は下方（Ｚ２方向）に撓んで変形される。第３の検出領域３１ｃのＸ１−Ｘ２方向の縁部から中央部に向かうに従って、入力面１０ｃとフィルムセンサ３０との距離が大きくなっており、第３の検出領域３１ｃのＸ１−Ｘ２方向の中央部において最も距離が大きくなる。本変形例では、入力面１０ｃとフィルムセンサ３０との距離の違いに対応させて、図６に示すように、第３の電極３６ｂを第３の電極３６ａ、３６ｃよりも大きい面積で形成する。これにより、第３の電極３６ａ、３６ｂ、３６ｃと被検出体との間で形成される静電容量のばらつきが低減されるため、第３の検出領域３１ｃにおける検出感度のばらつきを抑制することができる。
【００４７】
（第２の変形例）
図７は、本実施形態の第２の変形例の入力装置を示し、フィルムセンサの部分拡大平面図を示す。本変形例において、第１の電極３４、第２の電極３５及び第３の電極３６は、それぞれ個別に引出配線４２に接続されている。引出配線４２は、各検出領域３１ａ、３１ｂ、３１ｃの外側の非検出領域３２を引き回されて、外部のＩＣ等の制御部に接続される。よって、第１の電極３４、第２の電極３５及び第３の電極３６は、それぞれ独立して、外部の制御部に並列に接続される。すなわち、複数の第３の電極３６は、第１の電極３４、第２の電極３５と同一の制御部に接続されて信号処理されため、第３の検出領域３１ｃの入力操作に対して、個別に制御部を設けて信号処理を行う必要がない。また、各電極３４、３５、３６は、互いに電気的に干渉することが抑制されるので、入力操作が行われた位置の検出精度を向上させることが可能である。
【００４８】
（第３の変形例）
図８は、本実施形態の第３の変形例の入力装置を示し、フィルムセンサの部分拡大平面図を示す。図４、図５、図７に示すフィルムセンサ３０は、第１の電極３４及び第２の電極３５のそれぞれの面積に対して、複数の第３の電極３６のそれぞれの面積を大きく形成しているが、これに限定されない。図８に示すように、第３の電極３６の個数を多く形成して、すなわち、第３の検出領域３１ｃの面積に対する第３の電極３６の合計面積の比率が、第１の検出領域３１ａの面積に対する第１の電極３４の合計面積の比率、または第２の検出領域３１ｂの面積に対する第２の電極３５の合計面積の比率よりも大きくなるように、形成されている。このような構成であっても、第３の検出領域３１ｃにおける検出感度を向上させて、入力装置１０の検出感度のばらつきを抑制することができる。
【００４９】
（第４の変形例）
図９は、本実施形態の第４の変形例の入力装置を示し、図９（ａ）は、入力装置を折り畳んだ状態の断面図を、図９（ｂ）は、開いた状態の入力装置の部分拡大平面図を示す。本変形例の入力装置１０は、図９（ａ）及び図９（ｂ）に示すように、フィルムセンサ３０の第１の検出領域３１ａに粘着層４７を介して第１の表示素子５２が貼り合わされており、フィルムセンサ３０の第２の検出領域３１ｂに粘着層４８を介して第２の表示素子５３が貼り合わされている。つまり、第１の表面パネル２１に対向する位置に、第１の表示素子５２が設けられており、第２の表面パネル２２に対向する位置に、第２の表示素子５３が設けられている。
【００５０】
本変形例においては、フィルムセンサ３０の第３の検出領域３１ｃにおいて、裏面側に第１の表示素子５２または第２の表示素子５３が重ねられていないため、図９（ｂ）に示す開いた状態で、フィルムセンサ３０が撓み易くなる。よって、第３の電極３６（図９には図示しない）を第１の電極３４、第２の電極３５と同じ面積で形成した場合には、被検出体と第３の電極３６との間に形成される静電容量が減少するため、第３の検出領域３１ｃでの検出感度が低下し易くなる。したがって、図４、図６〜図８に示すように、第３の電極３６の面積を第１の電極３４及び第２の電極３５の面積よりも大きくする等により、第３の検出領域３１ｃでの検出感度の低下を効果的に抑制して、検出感度のばらつきを小さくできる。
【００５１】
（第５の変形例）
図１０は、本実施形態の第５の変形例の入力装置を示し、折り畳み時の断面図を示す。本変形例の入力装置１０においては、折り畳んだ状態で第１の表面パネル２１、第２の表面パネル２２が外側に面する点で異なっている。そして、第１の表面パネル２１の裏面側及び第２の表面パネル２２の裏面側にはフィルムセンサ３０が貼り合わされている。本変形例の入力装置１０を開いた状態としたとき、フィルムセンサ３０の第３の検出領域３１ｃは、入力面１０ａ〜１０ｃ側に向かって凸に湾曲する。
【００５２】
よって、本変形例においては、第３の検出領域３１ｃにおける第３の電極３６の面積を、第１の電極３４または第２の電極３５よりも小さく形成することにより、第３の電極３６と被検出体との間に形成される静電容量の値を小さくして、第１の検出領域３１ａ、第２の検出領域３１ｂ、及び第３の検出領域３１ｃの検出感度のばらつきを抑制できる。
【符号の説明】
【００５３】
１０  入力装置
１０ａ、１０ｂ、１０ｃ  入力面
１６  情報処理端末
２１  第１の表面パネル
２２  第２の表面パネル
２４、２５  筐体
２６  連結部
３０  フィルムセンサ
３１ａ  第１の検出領域
３１ｂ  第２の検出領域
３１ｃ  第３の検出領域
３２  非検出領域
３４  第１の電極
３５  第２の電極
３６、３６ａ、３６ｂ、３６ｃ  第３の電極
３７  接続部
３８  ブリッジ部
４０  基材
４１、４２  引出配線
５１  表示素子
５２  第１の表示素子
５３  第２の表示素子
【図１】
0005960353.tif 000002
【図２】
0005960353.tif 000003
【図３】
0005960353.tif 000004
【図４】
0005960353.tif 000005
【図５】
0005960353.tif 000006
【図６】
0005960353.tif 000007
【図７】
0005960353.tif 000008
【図８】
0005960353.tif 000009
【図９】
0005960353.tif 000010
【図１０】
0005960353.tif 000011
【図１１】
0005960353.tif 000012